(57)【要約】  自動で顕微鏡スライドを読み取るためのシステム。すなわち、顕微鏡スライドカートリッジであって、空間を囲み、前縁および後縁を有する、長方形の箱状の構造として構成される、上壁、底壁、第１の側壁、および第２の側壁を有する筐体と、前記空間に面する内面および外側に面する外面を有する、前記長方形の箱状の構造のそれぞれの壁と、概して前記前縁から前記後縁に延在する、前記底壁に平行な、複数の等間隔のレールが組み込まれた前記第１の側壁の前記内面と、前記前縁から前記後縁へ部分的に延在する、前記底壁に平行なフレキシブルフィンガーを形成する、部分的に切断された、等間隔のスロットセットを有する前記第２の側壁と、前記第１の側壁の前記内面上に位置する前記レールと同一平面上に配設されるように、第２のレールセットを組み込んだ、前記第２の側壁の前記内面であって、前記第２の側壁のレールのそれぞれは、前記フレキシブルフィンガーの１つに組み込まれる、前記内面とを含み、前記第１および前記第２の側壁の内面の間の間隔は、顕微鏡スライドが前記カートリッジに挿入される際に、前記フレキシブルフィンガーのそれぞれを変位させるように構成される顕微鏡スライドカートリッジ。【選択図】  図1
2009530667.tif 000002
【特許請求の範囲】
【請求項１】
顕微鏡スライドカートリッジであって、
空間を囲み、前縁および後縁を有する、長方形の箱状の構造として構成される、上壁、底壁、第１の側壁、および第２の側壁を有する筐体と、
前記空間に面する内面および外側に面する外面を有する、前記長方形の箱状の構造のそれぞれの壁と、
概して前記前縁から前記後縁に延在する、前記底壁に平行な、複数の等間隔のレールが組み込まれた前記第１の側壁の前記内面と、
前記前縁から前記後縁へ部分的に延在する、前記底壁に平行なフレキシブルフィンガーを形成する、部分的に切断された、等間隔のスロットセットを有する前記第２の側壁と、
前記第１の側壁の前記内面上に位置する前記レールと同一平面上に配設されるように、第２のレールセットを組み込んだ、前記第２の側壁の前記内面であって、前記第２の側壁のレールのそれぞれは、前記フレキシブルフィンガーの１つに組み込まれる、前記内面とを含み、
前記第１および前記第２の側壁の内面の間の間隔は、顕微鏡スライドが前記カートリッジに挿入される際に、前記フレキシブルフィンガーのそれぞれを変位させるように構成される顕微鏡スライドカートリッジ。
【請求項２】
前記顕微鏡スライドは、全体が前記第１の側壁の前記内面の離間したレールと、前記第２の側壁の前記内面の離間したレールの間の前記空間内に配置され、前記顕微鏡スライドは、少なくとも１つのフレキシブルフィンガーに付随するスナップ式固定係合構造により前記カートリッジ内の所定の位置にロックされる請求項１に記載の顕微鏡スライドカートリッジ。
【請求項３】
前記少なくとも１つのフレキシブルフィンガーの前記スナップ式固定係合構造は、前記フレキシブルフィンガーの表面上の断絶である請求項２に記載の顕微鏡スライドカートリッジ。
【請求項４】
前記第２の側壁は、第２の部分的に切断された等間隔に離間したスロットセットを含み、フレキシブルフィンガーを形成する前記底壁に平行であり、前記後縁から前記前縁へ部分的に延在する請求項１に記載の顕微鏡スライドカートリッジ。
【請求項５】
顕微鏡スライドを読みとるための顕微鏡であって、
顕微鏡スライドを保持し、ｘ−ｙ軸の方向に沿ってのみ移動するように動作可能に構成される第１のステージと、
前記第１のステージに動作可能に付随し、ｚ―−ｚ＋軸の方向に沿ってのみ移動可能な第２のステージとを含み、
かかる軸に沿う、前記第２のステージの前記移動により、前記第１のステージによって保持される前記顕微鏡スライドが同一方向に移動する顕微鏡。
【請求項６】
第1の場所から第2の場所へとスライドを移動させるためのスライド供給装置であって、前記スライドは、第1の場所から第2の場所へ、上面、底面、および2つ以上の側面を有する基板を含み、前記スライド供給装置は、
ｘ−ｙの方向に移動するように動作可能に構成されるステージと、
前記ステージに連結されたクレンメルであって、前記スライドの２つ以上の側面から圧力で固定することにより、前記スライドを保持するように動作可能に構成されるクレンメルとを含むスライド供給装置。
【請求項７】
その面上に配置された解析の対象となる材料を有し、スライドカセット内に格納された、データをコード化した複数の顕微鏡スライドの顕微鏡による解析を自動化するコンピュータシステムにおける方法であって、
前記カセット内に格納された前記各顕微鏡スライドの枚数と位置を判定するステップと、
前記カセット内の前記スライドの1つ以上を前記カセットから取り出すステップと、
前記カセットから取り出された前記スライドのそれぞれに関する、コード化されたデータをダウンロードするステップと、
前記顕微鏡スライド上の前記材料の解析のために、前記ダウンロードしたコード化されたデータを規定のプロトコルと関連付けるステップとを含む方法。
【請求項８】
顕微鏡スライドであって、
大型の物体から採取された試料を載せるように構成される基板と、
前記基板に取り付けられたデータ記憶装置であって、
前記試料を検査して、前記大型の物体の状態を判定するための、プロトコルに関するデータを内蔵する、前記データ記憶装置とを含み、
前記データは、データ読み取り機によって前記データ記憶装置から検索されてもよい顕微鏡スライド。
【請求項９】
前記データ記憶装置は、一度だけ書き込みが可能で、読み出しは何度でも可能な（ＷＯＲＭ）記憶装置である、請求項８に記載の顕微鏡スライド。
【請求項１０】
顕微鏡スライドであって、大型の物体から採取された試料を載せるように構成される基板と、前記基板に取り付けられたデータ記憶装置とを含み、前記データ記憶装置は、１つ以上時点おける前記試料の顕微鏡的検査によって得られた画像データを内蔵する顕微鏡スライド。
【請求項１１】
前記データ記憶装置は、一度だけ書き込みが可能で、読み出しは何度でも可能な（ＷＯＲＭ）記憶装置である請求項１０に記載の顕微鏡スライド。
【請求項１２】
顕微鏡スライドであって、
患者から採取された生体試料を載せるように構成される基板と、
前記基板に取り付けられたデータ記憶装置とを含み、
前記データ記憶装置は、前記患者の名前、年齢、病歴に関するデータを内蔵する、顕微鏡スライド。
【請求項１３】
前記データ記憶装置は、一度だけ書き込みが可能で、読み出しは何度でも可能な（ＷＯＲＭ）記憶装置である、請求項１２に記載の顕微鏡スライド。
【請求項１４】
顕微鏡スライド画像取得システムであって、
少なくとも1つの画像検出装置を有し、１秒間に複数の画像を取得できるように動作可能に構成されるカメラと、
各画像の取得中に、ｘ−ｙ−ｚ空間内での前記顕微鏡スライドの移動を検出するように動作可能に構成される複数のセンサと、
前記カメラからの画像および前記複数のセンサからのデータを処理し、画像取得中の画像の移動を、前記画像を修正する、あるいは、破棄することにより補正するように動作可能に構成されるプロセッサとを含む顕微鏡スライド画像取得システム。
【請求項１５】
前記カメラは少なくとも１つのＣＭＯＳ検出装置を有する、請求項１４に記載の顕微鏡スライド画像取得システム。
【請求項１６】
前記カメラは少なくとも１つのＣＣＤ検出装置を有する、請求項１４に記載の顕微鏡スライド画像取得システム。
【請求項１７】
前記カメラは、１秒間に少なくとも約３００枚以上の画像を取得するように動作可能に構成される、請求項１４に記載の顕微鏡スライド画像取得システム。
【請求項１８】
顕微鏡システム中のグラフィカル・ユーザー・インターフェースであって、
顕微鏡スライドの標本面と、その面上の目的とする視野の相対位置を画像として表示する第1の部分と、
前記目的とする視野を複数の倍率で画像として表示する第２の部分とを含み、
前記第１および第２の画像表示は、少なくともｘ軸およびy軸に沿って移動可能である、グラフィカル・ユーザ・インターフェース。
【請求項１９】
顕微鏡スライドを観察するための自動顕微鏡スライド解析システムであって、
その面上に１つ以上の電子的にアドレス可能な基準位置タグをそれぞれ有する、１つ以上の顕微鏡スライドと、
前記顕微鏡スライド上の定められた視野を観察できるように構成される対物レンズと、
前記電子的にアドレス可能な基準位置タグの少なくとも１つに向けて電磁波を放出するように動作可能に構成されるエミッタと、
前記位置タグの前記電磁波に対する反応から、前記位置タグを検出するように動作可能に構成される検出装置と、
観察される視野、あるいは前記電子的にアドレス可能な位置タグの少なくとも１つに関連してマーキングを希望する視野を決定するために、また前記基準位置タグに対応させて、マーキングを希望する前記視野の前記位置が、前記スライドに関連付けられた電子データ記憶装置へ書き込まれるように、前記検出装置および前記対物レンズからの情報を処理するように構成されるプロセッサとを含むシステム。
【請求項２０】
前記プロセッサは、前記スライドに関連づけられた前記電子データ記憶装置への画像の書き込みを行うようにさらに構成される、請求項１９に記載の自動顕微鏡解析システム。
【発明の詳細な説明】
【技術分野】
【０００１】
本発明は、全般的には顕微鏡スライドを自動で読み取るためのシステムに関する。
【背景技術】
【０００２】
従来の生体材料用顕微鏡は、概して、患者から採取したサンプルを顕微鏡スライド上に載せるという、煩雑な準備過程を伴い、その後、その患者の試料が生物医学的状態を示すかどうかを判定するために、検鏡者が各スライドを連続して評価しなければならなかった。このスライド評価プロセスは、コストがかかるだけでなく、時間を浪費し、検出されうる生物医学的疾患の治療を遅らせるものである。
【０００３】
顕微鏡の効率を高める１つの手段は、顕微鏡下での解析用に、スライドを供給するプロセスを自動化することである。この自動化をなしうるアプローチは、ともにタイトルが自動顕微鏡スライドである、米国特許第４，２４８，４９８号および第４，３６７，９１５号においてＧｅｏｒｇｅｓによって教示されている。それらにおいて開示されている機構には、保存カートリッジ内に取り出し可能に格納される顕微鏡スライドと、各スライドをカートリッジから連続して取り出す第１の作動機構が含まれる。こうして取り出されたスライドは、ＸＹＺステージによる顕微鏡的観察用に直接セットされる。観察後、第２の作動装置によって、スライドがスライドカートリッジ内の元の位置に自動で戻される。カートリッジは位置を変えて、検査される次のスライドにアクセスし、この処理が繰り返される。スライドの識別は、カートリッジ内のその位置によってのみ決定される。与えられたスライドに関するデータは全て個別に記録され、カートリッジ内のスライドのアドレスの場所を参照する手段によってのみスライドと関連付けられる。米国特許第４，２４８，４９８号および第４，３６７，９１５号は、それぞれに指定された場所にセットされないスライドを独自に識別する手段、あるいはスライドと、そのスライドの個別に記録されたデータの関連を保証する手段を扱っていない。さらに、スライド上の目的とする領域の場所は、直接的にアドレス指定はできず、位置データはスライドホルダーに関して決定できるのみである。
【特許文献１】米国特許第４，２４８，４９８号
【特許文献２】米国特許第４，３６７，９１５号
【非特許文献１】なし
【発明の開示】
【発明が解決しようとする課題】
【０００４】
本願では、組織サンプルスライドの読み取りの効率を向上させるためのシステムが開示される。
【０００５】
一実施形態では、その面上に解析の対象となる材料を持ち、スライドカセット内に格納された、データをコード化した複数の顕微鏡スライドの顕微鏡による解析を自動化するコンピュータシステムにおける方法が開示され、該方法は（ａ）カセット内に格納された顕微鏡スライドの枚数と位置を判定するステップと、（ｂ）上述のカセット内のスライドの１つ以上をカセットから取り出すステップと、（ｃ）カセットから取り出されたスライドのそれぞれに関する、コード化されたデータをダウンロードするステップと、（ｄ）上述の顕微鏡スライド上の材料の解析用に、ダウンロードしたコード化されたデータを、規定のプロトコルと関連付けるステップとを含む。コード化されたデータは、スライド上に物理的に保存された、あるいはスライドに関連付けられた電子機器内にあるデータを含んでもよい。
【０００６】
別の実施例では、顕微鏡スライドを格納するためのスライドカートリッジ／カセットが開示され、カートリッジは（ａ）上面、底面、２つの側面を有し、これらの面がその間の空間を画定する筐体と、（ｂ）筐体の各側面に付属し、その間の空間に突出する複数の係合構造の対であり、係合構造の対のそれぞれは、反対側の側面に付属する別の係合構造の対と実質的に平行である複数の係合構造の対とを含み、それぞれ平行な係合構造の対は、係合構造の間で単一の顕微鏡スライドを固定し保持できるように、またその間の空間のいずれかの一方から、平行な係合構造の一対に対して直交するように力が適用された際に、スライドが係合構造に対して移動できるように構成され離間する。
【０００７】
かかるカセットのスライドは、自動取り出し機構によって読み取られてもよい。一実施形態では、顕微鏡スライドカートリッジ／カセットに格納されたスライドを移動させるためのスライド供給装置が開示される。より一般的には、上面、底面２つ以上の側面を有するスライドを、第１の場所から第２の場所へと移動させるためのスライド供給装置を開示し、本スライド供給装置は、ｘ−ｙ方向に移動するように動作可能に構成されるステージと、ステージに連結されたクレンメルからなり、クレンメルは、スライドの２つ以上の側面からの圧力による固定によりスライドを保持するように動作可能に構成されている。
【０００８】
スライド供給装置は、読み取り用にスライドをステージ上に供給することができる。本発明の一実施形態では、顕微鏡は複数のステージを含む。一実施形態では、ｘ−ｙ軸の方向にのみ移動するように動作可能に構成される第１のステージに加えて、第１のステージに付随し、ｚ――ｚ＋軸の方向にのみ移動可能な第２のステージが存在する。かかる実施形態では、かかる軸方向に沿う第２のステージの移動により、第１のステージによって保持される顕微鏡スライドが同一方向に移動する。
【０００９】
スライド上で試料の読み取りは、顕微鏡システムによって検出可能な、スライド上に１つ以上の基準座標点を設けることにより向上する可能性がある。一実施形態では、顕微鏡スライドを観察するための自動顕微鏡スライド解析システムを開示し、該システムは（ａ）１つ以上の電子的にアドレス可能な位置タグを、その面上に有する１つ以上の顕微鏡スライドと、（ｂ）顕微鏡スライド上の定められた視野を観察できるように動作可能に構成される対物レンズと、（ｃ）電子的にアドレス可能な位置タグのうち少なくとも１つに向かって電磁波を放出するように動作可能に構成されるエミッタと、（ｄ）タグの電磁波に対する反応から、位置タグの少なくとも１つを検出するように動作可能に構成される検出装置と、電子的にアドレス可能な位置タグの少なくとも１つに関して、観察する、あるいは、マーキングを希望する視野の位置を決定するために、検出装置および対物レンズからの情報を処理するように構成されるプロセッサを含む。
【００１０】
一実施形態では、スライドは顕微鏡スライド画像取得システムによって画像化され、本システムは、（ａ）少なくとも１つのＣＭＯＳ検出装置を有し、１秒間に少なくとも約３００枚以上の画像を取得できるように動作可能に構成されるカメラと、（ｂ）各画像を取得する間に、ｘ−ｙ−ｚ空間における、顕微鏡スライドの移動を検出するように設置された複数のセンサと、カメラからの画像および複数のセンサからのデータを処理し、画像を修正する、あるいは破棄することで、画像の取得中に、画像の移動を補正するように動作可能に構成されるプロセッサからなる。
【課題を解決するための手段】
【００１１】
顕微鏡システムによって得られた画像は、グラフィカル・ユーザ・インターフェースによって観察者へ提供されてもよい。一実施形態では、顕微鏡システム中のグラフィカル・ユーザ・インターフェースが開示され、これは（ａ）顕微鏡スライドの標本面と、その面上の目的とする視野の相対位置を画像として表示する第１の部分と、（ｂ）目的とする視野を複数の倍率で画像として表示する第２の部分とを含み、第１および第２の画像表示は、少なくともｘ軸およびｙ軸に沿って移動可能である。
【００１２】
一実施形態では、その面上の、組織サンプルの由来や所望の処理に関する情報を、デジタル処理によって読み込み可能な方式でその面上にコード化した顕微鏡スライドを開示する。スライド上のデータのコード化は、任意の適切な手段によって行うことができる。かかる手段の例には、一次元または二次元（またはその他の）バーコード形式でのデータの記録、デジタルデータに代表される光学的不均一性の形式（例えばＣＤまたはＤＶＤに見られるような、ピットやランドの形式による）での記録が含まれ、あるいはスライド上の電子タグ（例えばＲＦＩＤ、あるいはその他のコンピュータチップを用いて）に記録される。スライドデータのコード化処理は、スライドを管理過程に回す際に、処理に有用と考えられる情報をスライドに付加する目的で、オンザフライのデータのコード化が可能になるように選択されてもよい。例えば、患者から採取された組織を含むスライドに関しては、コード化された顕微鏡スライドは、患者の名前、住所、年齢、性別、人種、病歴を初めとした情報を含む可能性があり、医師がオーダーした検査の臨床情報とともに、検査をオーダーした医師に関する情報や、検査によって得られた情報を送付する医師または検査施設の情報を含んでもよい。スライドの読み取りの祭には、好ましくは、スライド上のデータを保存する手段によって、将来的な参考資料として、読み取られたスライドからの情報をスライドへ付加できるようになる。（例えば、スライドの読み取り日時、スライドの読み取り手段（例えば、ｘの自動顕微鏡システム）、読み取りを行ったクリニック、読み取りの結果）。コード化されたデータはまた、スライド上の材料の分析用に選択されたプロトコルに関する情報を含んでもよく、複数の時点で得られた１つ以上の画像を記憶してもよい。かかる画像は、サンプルの劣化を判定する上で有用である場合がある。記憶データまたは画像の上書きを防ぐために、一度だけ書き込みが可能で、読み出しは何度でも可能な（ＷＯＲＭ）記憶装置にデータを記録してもよく、あるいは他の方法として、データの完全な、または部分的な上書きが可能な記憶装置に記録してもよい。一実施形態では、記憶データ中の選択された部分のみの上書きが許容される。
【００１３】
カセット上のスライド上のコード化は、スライドを、そのスライドが元々セットされていたカートリッジ内の特定の位置と関連付けるために使用されてもよい。自動顕微鏡を用いる際、かかる情報を用いると、スライドを読み取り、カートリッジの同じ位置、例えば、そのスライドが保持されていた同一の係合構造の間にスライドを戻すことができる。
【００１４】
スライドの処理用に、解析用の規定のプロトコルが提供された場合、スライドのレビュー自動化を実施することができる。一実施形態では、その面上に解析の対象となる材料を有し、スライドカセット内に格納された、データをコード化した複数の顕微鏡スライドの顕微鏡による解析を自動化するコンピュータシステムにおける方法を開示し、該方法は（ａ）カセット内に格納された顕微鏡スライドの枚数と位置を判定するステップと、（ｂ）カセット内のスライドの１つ以上をカセットから取り出すステップと、（ｃ）前記カセットから取り出されたスライドのそれぞれに関する、コード化されたデータをダウンロードするステップと、（ｄ）顕微鏡スライド上の材料の解析のために、ダウンロードしたコード化されたデータを、規定のプロトコルと関連付けるステップとを含む。コード化されたデータは、スライド上に物理的に保存されたデータ、あるいはスライドに関連付けられた電子機器内にあるデータを含んでもよい。
【００１５】
顕微鏡での読み取りの効率を向上させるために、スライドカートリッジまたはカセットにスライドを格納してもよい。カートリッジは、スライドのカートリッジからの引き出しを容易にする、改良型カートリッジ１０であってもよい。例えば、スライドカートリッジは、空間７０を囲み、前縁８０および後縁９０を有する、長方形の箱状の構造として構成される、上壁２０、底壁３０、第１の側壁４０、および第２の側壁５０を有する筐体から構成されてもよい。構造の各壁は、空間に面する内面と、外側に面する外面を有する。第１の側壁４０の内面には、底壁と平行に、概して前縁８０から後縁９０に延在する複数の等間隔のレール１００が組み込まれる。第２の側壁１１０は、等間隔のスロット１２０が部分的に切断され、底壁３０と平行なフレキシブルフィンガー１３０を形成し、部分的に前縁８０から後縁９０に延在する。第２の側壁５０の内面には、第１の側壁上に位置する、レール１００と同一平面上に存在する第２のレールセット１４０が組み込まれる。第２の側壁のレール１４０のそれぞれは、フレキシブルフィンガー１３０の１つに部分的に組み込まれてもよい。第１の側壁４０および第２の側壁５０の内面の間隔は、対応する第１の壁面上のレール１００と第２の壁面上のレール１４０上に載るように、顕微鏡スライドがカートリッジ１０に挿入された際、それぞれのフレキシブルフィンガー１３０は変位することにより、スライドに対して締め付け力を与える。第２の側壁５０には、第１のスロットセット１２０と同一平面上に、底壁３０と平行なフレキシブルフィンガー１６０を形成する、後縁９０から部分的に前縁８０に延在する第２の等間隔のスロットセット１５０をもたらすように、任意で、部分的に切断されてもよい。フレキシブルフィンガー１３０、１６０の構造は、顕微鏡スライドを、対応する設置位置に保持するクリック止めを提供することができる。したがって、空間的定位にかかわりなく、カートリッジからの顕微鏡スライドの脱落を防止することができる。
【００１６】
運転中、顕微鏡スライドは、上述の第１の側壁の上述の内面の等間隔のレールと、上述の第２の側壁の上述の内面の等間隔のレールの間の、上述の空間内に全体にセットされ、上述の顕微鏡スライドは、少なくとも１つのフレキシブルフィンガーに付随するスナップ式固定係合構造によってカートリッジ内の所定の位置にロックされる。スナップ式固定係合構造の一例は、フィンガーの面上にある断絶である。
【００１７】
スライドがカートリッジ１０またはカセット内に格納され、カートリッジ／カセットが自動顕微鏡システム上に取り付けられる場合、顕微鏡システムが、カートリッジ／カセット用に最適化されたスライド供給装置を備えていると好都合である。
【００１８】
本発明の一実施形態では、スライドの２つの外側面に沿ってスライドを挟む、すなわちスライドへの圧力による固定によってスライドを保持することによりカートリッジ１０からスライドを取り出す、スライド供給装置（図示せず）により、スライドはカートリッジ１０から取り外される。かかるシステムは、サンプルの視野にアーチファクトがもたらされる（例えば、下方からスライドを引っ掻く、スライド内の読み込み部分に埃が付着するなど）リスクを低減するという点において好都合である。一実施形態では、上面、底面、および２つ以上の側面を有するスライドを、第１の場所から第２の場所へと移動させるためのスライド供給装置を開示し、本スライド供給装置は、（ａ）ｘ−ｙ方向に移動するように動作可能に構成されるステージと、ステージに連結されたクレンメルからなり、クレンメルは、スライドの２つ以上の側面への圧力による固定によりスライドを保持するように動作可能に構成される。
【００１９】
次に、スライド供給装置は、読み取りのため、スライドをステージにセットする。一実施形態では、顕微鏡スライドを読み取るための顕微鏡が提供され、顕微鏡は、（ａ）顕微鏡スライドを保持し、ｘ−ｙ軸の方向にのみ移動するように動作可能に構成される第１のステージと、（ｂ）第１のステージに付随し、ｚ軸の方向にのみ移動可能な第２のステージからなり、かかる軸方向に沿う第２のステージの移動により、第１のステージによって保持される顕微鏡スライドが同一方向に移動する。
【００２０】
特に患者から採用された組織サンプルに対する自動診断を提供するようにシステムが設計される自動顕微鏡が用いられる場合、サンプルの複数の画像を得ると好都合である。一実施形態では、顕微鏡スライドの画像取得システムが提供され、（ａ）少なくとも１つのＣＭＯＳ検出装置（またはその他の適切な画像検出装置、例えばＣＣＤ）を有し、１秒間に、例えば、少なくとも約３００枚以上の画像を取得できるように動作可能に構成されるカメラと、（ｂ）各画像の取得中に、ｘ−ｙ−ｚ空間における顕微鏡スライドの移動を検出するように設置された複数のセンサと、カメラからの画像および複数のセンサからのデータを処理し、画像を修正する、あるいは破棄することにより、画像の取得中の画像の移動を補正するように動作可能に構成されるプロセッサとを含む。
【００２１】
取得された画像は、その画像の閲覧に関心を持つ検鏡者に対して、特に自動顕微鏡システムの仮診断を確認するために、種々の方法で表示されてもよい。一実施形態では、顕微鏡システムにおけるグラフィカル・ユーザ・インターフェースが開示され、これは（ａ）顕微鏡スライドの標本面と、その面上の目的とする視野の相対位置を画像として表示する第１の部分と、（ｂ）目的とする視野を複数の倍率で画像として表示する第２の部分を含み、第１および第２の画像ディスプレイは、少なくともｘ軸とｙ軸に沿って移動可能である。
【００２２】
一実施形態では、上述の検出装置と、上述対物レンズからの情報を処理するように構成されたプロセッサは、観察される視野、あるいは上述の電子的にアドレス可能な位置タグのうち少なくとも１つに関連して、マーキングを希望する視野の位置を決定するために用いられてもよい。プロセッサはまた、上述の基準位置タグに対応してマーキングを希望する視野の位置を、上述のスライドに関連付けられた電子データ記憶装置に書き込んでもよい。プロセッサはさらに、顕微鏡視野の画像を、上述のスライドに関連付けられた上述の電子データ記憶装置に書き込んでもよい。
【００２３】
画像の評価を行った後、特定のスライドを再度観察することは臨床的に有用である場合があり、これは仮診断の基盤である。異常の疑いがあるスライドの特定の細胞または場所に再び戻るためには、全く同じ細胞または場所を迅速に特定することが可能なシステムがあると便利である。本願で提案する、これを行う１つの方法は、顕微鏡スライド上に１つ以上のタグを利用するもので、これはスライド上で基準点として機能し、観察されるスライド上の特定の場所に「ＧＰＳ様の」顕微鏡の対物レンズの再配置を提供する。基準タグは、自動的に検出可能で、スライド上の特定の基準位置と相関しなければならない。スライド上のかかる１つ以上のタグに対して、各画像の位置を計算し、画像とともにその位置を記録することにより、スライド上の元の観察視野に迅速に戻ることができる。これにより、目的とする視野を見つけるために、検体全体にわたって再検索する必要がなくなる。
【００２４】
一実施形態では、顕微鏡スライドを観察するための自動顕微鏡スライド解析システムを開示し、該システムは（ａ）１つ以上の電子的にアドレス可能な位置タグを、その面上に有する１つ以上の顕微鏡スライドと、（ｂ）顕微鏡スライド上の定められた視野を観察できるように動作可能に構成される対物レンズと、（ｃ）電子的にアドレス可能な位置タグのうち少なくとも１つに向かって電磁波を放出するように構成されるエミッタと、（ｄ）タグの電磁波に対する反応から、位置タグの少なくとも１つを検出するように動作可能に構成される検出装置と、観察される視野、あるいは電子的にアドレス可能な位置タグの少なくとも１つに関して、マーキングを希望する視野の位置を決定するために、検出装置および対物レンズからの情報を処理するように構成されるプロセッサとを含む。
【発明を実施するための最良の形態】
【００２５】
好適な実施形態に関連して本発明を説明したが、添付の請求項によって定義される、本発明の精神と範囲から逸脱せずに、本発明に対して種々の変更および／または改変を加えてもよいことを当業者は容易に理解するであろう。本願で引用した全ての文章は、付加的または代替的な詳説、特徴および／または技術的背景の教示がふさわしい場合に、参照することにより、本願に組み込まれる。
【図面の簡単な説明】
【００２６】
【図１】スライドカートリッジの一実施形態の斜視図である。
【図２】第１の側壁の内面の概略図である。
【図３】第１の側壁の斜視図である。
【図４】第２の側壁の外面の概略図である。
【図５】レール構造を示す、第２の側壁の端面図である。
【図１】
2009530667.tif 000003
【図２】
2009530667.tif 000004
【図３】
2009530667.tif 000005
【図４】
2009530667.tif 000006
【図５】
2009530667.tif 000007
【国際調査報告】
2009530667.tif 000008
2009530667.tif 000009
2009530667.tif 000010
2009530667.tif 000011